(57)【特許請求の範囲】
【請求項１】
複数の物理制御チャネルの制御情報のデータ量の合計を算出し、前記物理制御チャネルのマッピング用に指定される無線リソースに含まれるリソース単位の総数と前記制御情報のデータ量の合計との比と、各前記物理制御チャネルの制御情報のそれぞれのデータ量とに基づいて、各前記物理制御チャネルにそれぞれ割り当てるリソース単位の数を決定する単位数決定部と、
前記複数の物理制御チャネル上にてそれぞれ伝送される制御情報を、前記単位数決定部により決定された数のリソース単位により伝送可能なデータへ符号化する符号化部と、
符号化された前記制御情報を変調する変調部と、
前記変調された信号を送信する送信部と、
を備える通信装置。
【請求項２】
前記符号化部により符号化された一連の前記制御情報を連続的に連結して前記変調部へ供給する連結部を備え、
前記変調部は、前記連結部により連結されたデータを変調する請求項１に記載の通信装置。
【請求項３】
前記制御情報は、前記制御情報が送信される宛先の通信装置の識別情報を含む請求項２に記載の通信装置。
【請求項４】
請求項１に記載の通信装置である第１の通信装置から物理制御チャネル上にてそれぞれ伝送される制御情報を受信する第２の通信装置であって、
前記第１の通信装置から物理制御チャネル上で送信された信号を受信する受信部と、
前記受信部により受信された信号を復調する復調部と、
前記復調部により復調されたデータの先頭から順にデータ先頭位置を変化させ且つデータ長を変えてそれぞれ読み出される部分データをそれぞれ復号化する復号化部と、
前記第２の通信装置の識別情報が、前記各部分データをそれぞれ復号化して得られた前記制御情報に含まれているか否かを判定する判定部と、
を備える通信装置。
【請求項５】
複数の物理制御チャネルの制御情報のデータ量の合計を算出し、前記物理制御チャネルのマッピング用に指定される無線リソースに含まれるリソース単位の総数と前記制御情報のデータ量の合計との比と、各前記物理制御チャネルの制御情報のそれぞれのデータ量とに基づいて、各前記物理制御チャネルにそれぞれ割り当てるリソース単位の数を決定し、
前記複数の物理制御チャネル上にてそれぞれ伝送される制御情報を、前記決定された数のリソース単位により伝送可能なデータへ符号化する、
ことを特徴とする通信方法。
【発明の詳細な説明】
【技術分野】
【０００１】
本明細書で論じられる実施態様は、物理制御チャネルに無線リソースを割り当てる技術に関する。
【背景技術】
【０００２】
従来行われている物理制御チャネルへの無線リソースの割り当て方法の一例を、下りリンク物理制御チャネルＰＤＣＣＨ（Physical Downlink Control Channel）を例にして説明する。ＰＤＣＣＨは、３ＧＰＰ（3rd Generation partnership Project）で検討される通信方式であるＬＴＥ（Long Term Evolution）にて使用される物理制御チャネルである。【０００３】
図１は、従来の通信装置の構成図である。参照符号２００は基地局装置を示し、参照符号２０１は情報組立部を示し、参照符号２０２は符号化部を示し、参照符号２０３は変調部を示す。参照符号２０４はアンプを示し、参照符号２０５はアンテナを示す。【０００４】
参照符号２１１はＤＣＩ（Downlink Control Information）組立部を示し、参照符号２１２はＰＤＣＣＨ信号組立部を示し、参照符号２１３はスクランブラを示し、参照符号２１４は直交変調器を示し、参照符号２１５はインタリーバを示す。直交変調器２１４は、例えば位相偏移変調器や直交振幅変調器である。なお、以下の説明において用語「直交変調」は、位相偏移変調や直交振幅変調を含む。【０００５】
参照符号２１６はサイクリックシフト部を示し、参照符号２１７はリソースエレメント（RE）マッピング部を示し、参照符号２１８は逆フーリエ変換部（IFFT）を示し、参照符号２１９はサイクリックプレフィクス（CP）挿入部を示す。【０００６】
基地局装置２００は、情報組立部２０１と、符号化部２０２と、変調部２０３と、アンプ２０４と、アンテナ２０５を備える。情報組立部２０１は、ＤＣＩ組立部２１１を備える。【０００７】
ＤＣＩ組立部２１１は、ダウンリンク制御情報（DCI: Downlink Control Information）を含んだＤＣＩペイロードと、ＤＣＩフォーマット識別情報を入力する。ＤＣＩペイロードは、複数の異なるフォーマットで生成されており、各ＤＣＩペイロードのフォーマットはＤＣＩフォーマット識別情報によって識別される。ＤＣＩ組立部２１１は、各ＤＣＩペイロードのＤＣＩフォーマット識別情報に従って、ＤＣＩペイロードを結合してＤＣＩ信号を組み立てる。【０００８】
図２Ａ及び図２Ｂは、それぞれＤＣＩ組立部２１１に入力されるＤＣＩペイロードを示す。参照符号２２０〜２２２は各々第１のＤＣＩフォーマットで生成された異なる３つのＤＣＩペイロードを示し、参照符号２２３〜２２５は各々第２のＤＣＩフォーマットで生成されたＤＣＩペイロードを示す。図２Ｃは、ＤＣＩ組立部２１１がＤＣＩペイロード２２０〜２２２を結合して組み立てたＤＣＩ信号を示す。また図２Ｄは、ＤＣＩ組立部２１１がＤＣＩペイロード２２３〜２２５を結合して組み立てたＤＣＩ信号を示す。【０００９】
図１を参照する。ＤＣＩ組立部２１１は、生成したＤＣＩ信号を符号化部２０２へ出力する。符号化部２０２は、ＰＤＣＣＨフォーマット情報に従ってＤＣＩ信号を符号化する。図２Ｅは、符号化部２０２が図２ＣのＤＣＩ信号を符号化することにより生成された符号化されたＤＣＩ信号を示す。図２Ｆは、符号化部２０２が図２ＤのＤＣＩ信号を符号化することにより生成された符号化されたＤＣＩ信号を示す。【００１０】
ＰＤＣＣＨフォーマット情報は、ＤＣＩ信号をどれ位の長さのデータへ符号化するかを指定する。ＰＤＣＣＨフォーマット情報が符号化後のデータ長を指定するデータ長の単位として、ＣＣＥ（Control Channel Element）が使用されている。図２Ｅ及び図２Ｆに示す符号化後のＤＣＩ信号は、それぞれ１ＣＣＥ及び２ＣＣＥに相当するデータ長を有すると仮定する。【００１１】
１つのＣＣＥは、９つのリソースエレメントグループ（REG: Resource Element Group）が伝送するシンボル数に対応する。以下の説明においてリソースエレメントグループを「ＲＥＧ」と記載することがある。【００１２】
ＲＥＧは、制御情報を無線リソースへマッピングする際の無線リソースの単位であり、１つのＲＥＧが、４個のリソースエレメント（RE: Resource Element）を含む。１個のリソースエレメントは、１つのべーシックタイムユニット（基本時間ユニット: Basic Time Unit）において１サブキャリアを使用する無線リソースである。【００１３】
図１を参照する。符号化部２０２により符号化されたＤＣＩ信号は、その後、変調部２０３によりＯＦＤＭ信号へ変調される。アンプ２０４はＯＦＤＭ信号を増幅する。増幅されたＯＦＤＭ信号はアンテナ２０５から送信される。【００１４】
変調部２０３は、ＰＤＣＣＨ信号組立部２１２と、スクランブラ２１３と、直交変調器２１４と、インタリーバ２１５と、サイクリックシフト部２１６とを備える。また変調部２０３は、リソースエレメントマッピング部２１７と、逆フーリエ変換部２１８と、サイクリックプレフィクス挿入部２１９を備える。【００１５】
ＰＤＣＣＨ信号組立部２１２は、符号化部２０２により符号化されたＤＣＩ信号を結合する。以下、説明の便宜のため、符号化されたＤＣＩ信号をＰＤＣＣＨ信号組立部２１２が結合して生成されるデータを「ＰＤＣＣＨデータ」と表記する。また、符号化部２０２により符号化されたＤＣＩ信号を「符号化データ」と表記する。【００１６】
ＰＤＣＣＨ信号組立部２１２は、ＰＤＣＣＨデータ内に符号化データを格納する開始位置を、符号化データを送信する宛先の移動局装置の端末識別子によって定める。ＰＤＣＣＨデータ内に符号化データを格納するための開始位置として、予め１ＣＣＥずつシフトした位置が指定されている。ＰＤＣＣＨ信号組立部２１２は、宛先の移動局装置の端末識別子に応じて開始位置を定めるＣＣＥ番号の指定に従って、指定されたＣＣＥ番号に対応する位置へ符号化データを格納する。【００１７】
図２Ｇは、ＰＤＣＣＨ信号組立部２１２により生成されたＰＤＣＣＨデータの例を示す。ＰＤＣＣＨデータを示す矩形の下方に記載された括弧書きの番号は、ＰＤＣＣＨデータ内に符号化データを格納する開始位置を指示するＣＣＥ番号である。図２Ｇに示す例では、図２Ｅに示す符号化データ２２８が、ＣＣＥ番号７から開始する１ＣＣＥ長の領域に格納されている。また図２Ｆに示す符号化データ２２７が、ＣＣＥ番号３から開始する２ＣＣＥ長の領域に格納されている。【００１８】
ＰＤＣＣＨ信号組立部２１２は、格納すべき符号化データが存在しないＰＤＣＣＨデータ内の領域には、空であることを示すＮＩＬデータを挿入する。図２Ｇに示す例では、ＣＣＥ番号１及び２の領域にＮＩＬデータが挿入されている。ＮＩＬデータがマッピングされたＲＥＧでは有効なデータが送信されない。【００１９】
図１を参照する。スクランブラ２１３は、基地局２００に固有のスクランブル系列でＰＤＣＣＨデータをスクランブルする。直交変調器２１４は、スクランブルされたＰＤＣＣＨデータを直交変調することにより直交変調信号を生成する。【００２０】
インタリーバ２１５は、直交変調器２１４から出力される直交変調信号に対して、１ＲＥＧにて伝送されるシンボルの単位で、インターリーブ処理を行う。サイクリックシフト部２１６は、インターリーブ処理が施された直交変調信号にサイクリックシフトを与える。【００２１】
図３Ａは、図２Ｇに示すＰＤＣＣＨデータを、スクランブラ２１３、直交変調器２１４インタリーバ２１５及びサイクリックシフト部２１６が処理した後のデータを示す。図３Ａは、参照符号２３０で示す部分に、図２Ｇに示す符号化データ２２８に含まれていた情報を示すデータが格納され、参照符号２３１で示す部分に、符号化データ２２７に含まれていた情報を示すデータが格納されることを示す。また、参照符号２３２及び２３３の部分には、ＮＩＬデータが格納されている。【００２２】
図１を参照する。リソースエレメントマッピング部２１７は、サイクリックシフトを与えられた図３Ａのデータを、各リソースエレメントにマッピングする。ＰＤＣＣＨの制御情報をマッピングできるＯＦＤＭ（Orthogonal Frequency Division Multiplexing）シンボル数は、ＰＣＦＩＣＨ（Physical Control Format Indicator Channel）により伝送されるＣＦＩ（control format indicator）の値によって指定される。図３Ｂは、CFIが3の場合であり、図３Ａのデータを、リソースエレメントマッピング部２１７が、各リソースエレメントにマッピングした状態を示す。図３Ｂに示すように、図３Ａのデータに格納されていたＮＩＬが、いくつかのリソースエレメントにマッピングされている。【００２３】
図１を参照する。リソースエレメントマッピング部２１７は、制御情報をマッピングするのと共に、主信号をリソースエレメントにマッピングする。主信号に関する処理については説明を省略する。【００２４】
逆フーリエ変換部２１８は、各リソースエレメントにマッピングされたシンボルを、逆フーリエ変換することによりＯＦＤＭ信号を生成する。サイクリックプレフィクス挿入部２１９は、ＯＦＤＭ信号にサイクリックプレフィクスを挿入する。【００２５】
上述の通り、符号化部２０２により符号化された後の符号化データは、ＣＣＥの整数倍の長さを有し、１ＣＣＥは９つのＲＥＧを含む。このため、ＰＤＣＣＨのマッピングのために割り当てられたＲＥＧの総数を９で除した余りには、ＮＩＬデータが格納される。【００２６】
例えば、第１ＯＦＤＭシンボルだけにＰＤＣＣＨがマッピングされる場合を例示する。ここに、１つのＯＦＤＭシンボルのサブキャリア数を３００個と仮定し、またＰＣＦＩＣＨが４ＲＥＧを使用し、ＰＨＩＣＨ（Physical Hybrid ARQ Indicator Channel）が３ＲＥＧを使用する場合を想定する。ＰＨＩＣＨは上りリンクのハイブリッドARQ（Automatic repeat-request）の再送制御信号を伝送するチャネルである。【００２７】
第１ＯＦＤＭシンボルでは、１つのＲＥＧに６つのサブキャリアが割り当てられるので、第１ＯＦＤＭシンボルには５０個のＲＥＧが存在する。このため、ＰＤＣＣＨに割り当て可能なＲＥＧの数は、５０−（４＋３）＝４３個となる。したがって、４３を９で除した余りの７個のＲＥＧには、制御情報が割り当てられずＮＩＬデータが挿入される。【００２８】
またＰＤＣＣＨ信号組立部２１２は、宛先の移動局装置の端末識別子によって定まるＣＣＥ番号に従って、ＰＤＣＣＨデータ内に符号化データを格納する。このため、ＰＤＣＣＨデータに格納された符号化データ間に隙間が生じることがあり、この隙間にもＮＩＬデータが挿入される。【００２９】
ＮＩＬデータがマッピングされるＲＥＧでは有効なデータが送信されないため、ＮＩＬデータがマッピングされるＲＥＧの数が多いほど、無線リソースの利用効率が低くなる。【００３０】
なお、無線基地局装置から無線端末装置へ向かう下りリンクにおいて、サブフレーム内の第１ＯＦＤＭシンボルの先頭のサブキャリアからＰＣＦＩＣＨを配置し、無線端末装置から無線基地局装置へ向かう上りリンクのためのＡＣＫ／ＮＡＣＫ  （ＡＣＫ／ＮＡＣＫ  ｆｏｒ  ＵＬ）信号を周波数領域でブロック化して多重し、周波数分割多重又は時間分割多重を用いてＡＣＫ／ＮＡＣＫ信号とＰＤＣＣＨを多重する無線端末装置が提案されている。【００３１】
また、移動通信システム内で基地局装置と無線通信するユーザ装置が提案されている。このユーザ装置は、下りリンクにおいて第１の共有チャネルを受信する受信手段と、上りリンクにおいて前記第１の共有チャネルの送達確認情報と第２の共有チャネルとを送信する送信手段と、を具備する。送達確認情報を要しない上り信号でも、送達確認情報用のビット領域に第２の共有チャネルがマッピングされることは禁止される。
【先行技術文献】
【特許文献】
【００３２】
【特許文献１】特開２００９−４９５７９号公報
【特許文献２】特開２００８−２８９１１４号公報
【非特許文献】
【００３３】
【非特許文献１】3rd Generation Partnership Project, "Physical Channels and Modulation (Release 8)", 3GPP TS36.211, 2009-03, V8.6.0
【非特許文献２】3rd Generation Partnership Project, "Multiplexing and channel coding (Release 8)", 3GPP TS36.212, 2009-03, V8.6.0
【非特許文献３】3rd Generation Partnership Project, "Physical layer procedures (Release 8)", 3GPP TS36.213, 2009-03, V8.6.0
【発明の概要】
【発明が解決しようとする課題】
【００３４】
従来行われている物理制御チャネルへの無線リソースの割り当て方法では、物理制御チャネルのマッピング用に指定された無線リソースの中に、有効な信号がマッピングされない無線リソースが発生することがあった。このため、無線リソースの利用効率が低くなることがあるという問題があった。【００３５】
実施態様に係る装置及び方法は、物理制御チャネルのマッピング用に指定された無線リソースの利用効率を向上することを目的とする。
【課題を解決するための手段】
【００３６】
一実施態様による通信装置は、物理制御チャネルのマッピング用に指定される無線リソースに含まれるリソース単位の総数を、所定の規則に従って複数の物理制御チャネルの間で案分することにより、複数の物理制御チャネルにそれぞれ割り当てるリソース単位の数を決定する単位数決定部と、複数の物理制御チャネル上にてそれぞれ伝送される制御情報を、単位数決定部により決定された数のリソース単位により伝送可能な長さのデータへ符号化する符号化部と、符号化された制御情報を変調する変調部と、変調部により変調された信号を送信する送信部と、を備える。
【発明の効果】
【００３７】
本件開示の装置又は方法によれば、物理制御チャネルのマッピング用に指定された無線リソースの利用効率が向上する。【００３８】
本発明の目的及び利点は、特に特許請求の範囲に示した要素及びその組合せを用いて具現化され達成される。前述の一般的な記述及び以下の詳細な記述の両方は、単なる例示及び説明であり、特許請求の範囲のように本発明を限定するものでないと解するべきである。
【図面の簡単な説明】
【００３９】
【図１】従来の通信装置の構成図である。
【図２Ａ】従来の無線リソースの割り当て方法の説明図（その１）である。
【図２Ｂ】従来の無線リソースの割り当て方法の説明図（その２）である。
【図２Ｃ】従来の無線リソースの割り当て方法の説明図（その３）である。
【図２Ｄ】従来の無線リソースの割り当て方法の説明図（その４）である。
【図２Ｅ】従来の無線リソースの割り当て方法の説明図（その５）である。
【図２Ｆ】従来の無線リソースの割り当て方法の説明図（その６）である。
【図２Ｇ】従来の無線リソースの割り当て方法の説明図（その７）である。
【図３Ａ】従来の無線リソースの割り当て方法の説明図（その８）である。
【図３Ｂ】従来の無線リソースの割り当て方法の説明図（その９）である。
【図４】通信装置における第１実施例の構成図である。
【図５】無線リソースの割り当て方法における実施例の説明図（その１）である。
【図６】通信装置における第２実施例の構成図である。
【図７】無線リソースの割り当て方法における実施例の説明図（その２）である。
【図８】無線リソースの割り当て方法における実施例の説明図（その３）である。
【図９】通信装置における第３実施例の構成図である。
【図１０】図９に示す通信装置へ送信される制御情報のフォーマットの説明図である。
【図１１】図９に示す通信装置による復号化処理の説明図（その１）である。
【図１２】図９に示す通信装置による復号化処理の説明図（その２）である。
【図１３】通信システムにおける実施例を示す図である。
【図１４】図１３に示す基地局装置の構成例を示す図である。
【図１５】図１４に示す情報組立／分解部の構成例を示す図である。
【図１６】図１４に示す変調部の構成例を示す図である。
【図１７】下りリンク物理制御チャネルへ割り当てるＲＥＧ数の決定方法の説明図（その１）である。
【図１８】下りリンク物理制御チャネルへ割り当てるＲＥＧ数の決定方法の説明図（その２）である。
【図１９】ＣＱＩ値と重み付け係数の対応表を示す図である。
【図２０】割り当てられるＲＥＧ数の計算結果を示す図である。
【図２１Ａ】下りリンク物理制御チャネルへのＲＥＧの割り当て方法の説明図（その１）である。
【図２１Ｂ】下りリンク物理制御チャネルへのＲＥＧの割り当て方法の説明図（その２）である。
【図２１Ｃ】下りリンク物理制御チャネルへのＲＥＧの割り当て方法の説明図（その３）である。
【図２１Ｄ】下りリンク物理制御チャネルへのＲＥＧの割り当て方法の説明図（その４）である。
【図２１Ｅ】下りリンク物理制御チャネルへのＲＥＧの割り当て方法の説明図（その５）である。
【図２１Ｆ】下りリンク物理制御チャネルへのＲＥＧの割り当て方法の説明図（その６）である。
【図２１Ｇ】下りリンク物理制御チャネルへのＲＥＧの割り当て方法の説明図（その７）である。
【図２２Ａ】下りリンク物理制御チャネルへのＲＥＧの割り当て方法の説明図（その８）である。
【図２２Ｂ】下りリンク物理制御チャネルへのＲＥＧの割り当て方法の説明図（その９）である。
【図２３】図１３に示す移動局装置の構成例を示す図である。
【図２４】図１３に示す移動局装置へ送信されるＤＣＩ信号のフォーマットの説明図である。
【図２５】図１３に示す移動局装置による復号化処理の説明図である。
【図２６】図１３に示す移動局装置で受信した下りリンク物理制御チャネル上の信号の例を示す図である。
【発明を実施するための形態】
【００４０】
以下、添付される図面を参照して、好ましい実施例について説明する。図４は、通信装置における第１実施例の構成図である。参照符号１は通信装置を示し、参照符号２は単位数決定部を示し、参照符号３は符号化部を示し、参照符号４は変調部を示し、参照符号５は送信部を示し、参照符号６はアンテナを示す。通信装置１は、単位数決定部２と、符号化部３と、変調部４と、送信部５と、アンテナ６を備える。
【００４１】
単位数決定部２は、物理制御チャネルのマッピング用に指定される無線リソースに含まれるリソース単位の総数を、所定の規則に従って複数の物理制御チャネルの間で案分することによって、複数の物理制御チャネルに割り当てる各リソース単位の数を決定する。
【００４２】
任意の数のべーシックタイムユニットにおいて任意の数のサブキャリアを使用する無線リソースを、リソース単位として定めてよい。１つのリソース単位の大きさは、物理制御チャネルのマッピング用に指定される無線リソース全体の大きさを、割り切れる大きさであってよい。またリソース単位は、例えば、ＬＴＥにて、制御情報を無線リソースへマッピングする際の無線リソースの単位として定義されたＲＥＧであってよい。
【００４３】
単位数決定部２が、物理制御チャネルのマッピングのために用意されたリソース単位の総数を物理制御チャネルの間で案分する際に使用する上記の所定の規則は、どのような規則であってもよい。物理制御チャネルのマッピング用に指定された無線リソースの利用効率を高めるには、物理制御チャネルの間でリソース単位の総数が割り当てられれば足り、案分する割合を定める規則に関わらず、無線リソースの利用効率の向上が達成されるからである。
【００４４】
上記の所定の規則の例示として、例えば単位数決定部２は、複数の物理制御チャネルの数でリソース単位の総数を等分してもよい。また、例えば単位数決定部２は、複数の物理制御チャネル上でそれぞれ伝送する制御情報のデータ量に応じて、リソース単位の総数を案分してよい。制御情報のデータ量に応じてリソース単位の総数を案分することにより、チャネル間の符号化率のバラツキを低下させて、他のチャネルと比べて著しく通信品質が悪いチャネルが発生することを防止することが可能となる。
【００４５】
更に、例えば単位数決定部２は、複数の物理制御チャネル上で伝送する制御情報のデータ量を、各物理制御チャネルのそれぞれの回線品質によって重み付けしたデータ量に応じてリソース単位の総数を案分してよい。回線品質を考慮してリソース単位の割り当て数を決定することにより、回線品質のより悪いチャネルを伝送する制御情報の符号化率を低下させることが可能となる。
【００４６】
符号化部３は、複数の物理制御チャネル上にてそれぞれ伝送される制御情報を、単位数決定部２により決定された数のリソース単位により伝送可能な長さのデータへ符号化する。変調部４は、符号化された制御情報を変調する。送信部５は、変調部４により変調された信号をアンテナ６を介して送信する。
【００４７】
図５は、無線リソースの割り当て方法における実施例の説明図（その１）である。別な実施の態様においては、下記のオペレーションＡＡ〜ＡＣの各オペレーションはステップであってもよい。
【００４８】
オペレーションＡＡにおいて単位数決定部２は、物理制御チャネルのマッピング用に指定される無線リソースに含まれるリソース単位の総数を、所定の規則に従って複数の物理制御チャネルの間で案分することにより、複数の物理制御チャネルにそれぞれ割り当てるリソース単位の数を決定する。
【００４９】
オペレーションＡＢにおいて符号化部３は、複数の物理制御チャネル上にてそれぞれ伝送される制御情報を、オペレーションＡＡにおいて決定された数のリソース単位により伝送可能な長さのデータへ符号化する。
【００５０】
オペレーションＡＣにおいて変調部４は、オペレーションＡＢで符号化された制御情報を変調する。送信部５は、変調された信号をアンテナ６を介して送信される。
【００５１】
本実施例によれば、物理制御チャネルのマッピングのために用意されたリソース単位の総数が、各物理制御チャネルへ分配されてマッピングのために使用されるため、無線リソースの利用効率の向上が達成される。本実施例によれば、無線リソースの利用効率の向上により、物理制御チャネルの符号化率を下げることが可能となるため、制御情報の受信成功率を向上させることが可能となる。
【００５２】
図６は、通信装置における第２実施例の構成図である。参照符号７は連結部を示す。図４に示す構成要素と同様の構成要素には図４で使用した参照符号と同じ参照符号を付する。通信装置１は、単位数決定部２と、符号化部３と、連結部７と、変調部４と、送信部５と、アンテナ６を備える。
【００５３】
連結部７は、符号化部３により符号化された一連の制御情報を連続的に連結して変調部４へ供給する。図７は、無線リソースの割り当て方法における実施例の説明図（その２）である。参照符号１０及び１１は、符号化部３による符号化前の制御情報の例を示す。参照符号１２及び１３は、それぞれ制御情報１０及び１１を符号化部３で符号化した制御情報を示す。
【００５４】
連結部７は、参照符号１４により示すように、符号化された制御情報１２及び１３を連続的に連結し、変調部４へ供給する。変調部４は、連続的に連結されることにより、隙間無く連結された制御情報１２及び１３を無線リソースへマッピングする。
【００５５】
図８は、無線リソースの割り当て方法における実施例の説明図（その３）である。別な実施の態様においては、下記のオペレーションＡＡ、ＡＢ、ＡＤ及びＡＥの各オペレーションはステップであってもよい。
【００５６】
オペレーションＡＡ及びＡＢにおける処理は、図５を参照して説明したオペレーションＡＡ及びＡＢの処理とそれぞれ同様である。オペレーションＡＤにおいて連結部７は、参照符号１４により示すように、オペレーションＡＢで符号化された複数の制御情報を連続的に連結し変調部４へ供給する。オペレーションＡＥにおいて変調部４は、オペレーションＡＤにて連続的に連結された制御情報を変調することにより制御情報を無線リソースへマッピングする。
【００５７】
本実施例によれば、変調部４により無線リソースへマッピングされる制御情報に、空のデータを挿入する隙間が発生しないので、データがマッピングされない無線リソースが発生することを防止することができる。
【００５８】
図９は、通信装置における第３実施例の構成図である。参照符号２０は通信装置を示し、参照符号２１はアンテナを示し、参照符号２２は受信部を示し、参照符号２３は復調部を示し、参照符号２４は復号化部を示し、参照符号２５は判定部を示す。
【００５９】
通信装置２０は、アンテナ２１と、受信部２２と、復調部２３と、復号化部２４と、判定部２５を備える。判定部２５は、復号化部２４の機能の一部であってよく、復号化部２４とは別の構成要素であってもよい。
【００６０】
通信装置２０は、図６を参照して説明した通信装置１から送信される制御情報を使用する通信装置である。受信部２２は、アンテナ２１を介して通信装置１から送信される制御情報を受信する。復調部２３は、受信信号を復調して、通信装置１の連結部７から変調部４へ入力される状態の信号を再生する。
【００６１】
復号化部２４は、復調部２３が復調した制御情報に復号化処理を施すことにより、符号化前の制御情報を再生する。判定部２５は、復号化された制御情報に、本通信装置２０宛の制御情報が含まれているか否かを判定する。
【００６２】
以下、復号化された制御情報に本通信装置２０宛の制御情報が含まれているか否かを判定する判定処理の一例を説明する。復号化された制御情報に本通信装置２０宛の制御情報が含まれているか否かを判定するために、制御情報は、送信先の通信装置の識別子を含んでいてよい。
【００６３】
図１０は、図９に示す通信装置へ送信される制御情報のフォーマットの説明図である。図１０は、符号化部３により符号化される前の状態の制御情報を示す。図１０に示される制御情報３０の例は、ある通信装置へ共に送信される複数の制御情報３１及び３２を含む。また制御情報３０は、所定の位置に、制御情報３０の送信先の通信装置の識別子３３を含んでいる。
【００６４】
判定部２５は、符号化が施された識別情報に、通信装置の識別子３３が含まれているか否かを判定することはできない。復号化部２４は、復調部２３から出力される復調された復号化前のデータの中の異なる位置から始まる及び異なる長さの部分データをそれぞれ読み出す。このとき復号化部２４は、データを読み出す先頭位置及びデータ長を変化させて部分データを読み出すことにより、復号化前のデータの中の異なる位置及び異なる長さの部分データをそれぞれ読み出す。判定部２５は、それぞれの部分データを復号化部２４によって復号化することにより得られる制御情報に、通信装置２０の識別子が含まれているか否かを判定する。
【００６５】
図１１は、図９に示す通信装置による復号化処理の説明図である。図１１のオペレーションＢＡ〜ＢＪの各オペレーションはステップであってもよい。オペレーションＢＡ及びＢＢにおいて復号化部２４は、変数ｉに値「１」を、変数ｊに変数ｉの値を代入する。
【００６６】
オペレーションＢＣにおいて復号化部２４は、復調部２３により復調された復号化前の制御情報から読み出される部分データを復号化する。このとき、復調部２３により復調された制御情報の中から復号化部２４が部分データを読み出すデータ長の単位は、１つのリソース単位で伝送できるデータ長と等しい。すなわち読み出される部分データは、１つのリソース単位で伝送できるデータ長の整数倍の長さを有する。
【００６７】
また復号化部２４は、復調された制御情報の中から部分データの読み出す先頭位置を、予め定められた複数の読出先頭位置の候補のいずれかから選択する。読出先頭位置の候補同士の間隔は、１つのリソース単位で伝送できるデータ長に等しく、最初の読出先頭位置の候補は、復調された制御情報の先頭位置に等しい。
【００６８】
このように定められた読出先頭位置の候補を、図１２に示す。参照符号３３は、復調部２３により復調された復号化前の制御情報を示す。制御情報３３の下方に記載した複数の破線は、それぞれ読出先頭位置の候補を示す。読出先頭位置の候補にそれぞれ付した括弧書きの数字は、最初の読出先頭位置の候補から数えた各読出先頭位置の候補の順番を示す。隣接する破線間の間隔は、１つのリソース単位で伝送できるデータ長であり、復号化前の制御情報３３から部分データを読み出すデータ長の単位に等しい。
【００６９】
言い換えれば、復号化部２４が制御情報３３から読み出す部分データの単位は、制御情報３３を１つのリソース単位で伝送できるデータ長のブロックに分割したときの各ブロックとなる。また、復号化部２４が制御情報３３から部分データを読み出す各読出先頭位置の候補は、上記のブロックのそれぞれの先頭位置である。
【００７０】
オペレーションＢＣにおいて復号化部２４は、制御情報３３から、第ｉ番目の読出先頭位置の候補から始まるブロックから第ｊ番目の読出先頭位置の候補から始めるブロックまでを部分データとして読み出し、復号化する。
【００７１】
オペレーションＢＤにおいて判定部２５は、オペレーションＢＣで復号化された制御情報の所定位置に、本通信装置２０の識別子が格納されているか否かを判定する。復号化されたデータの部分が本通信装置２０宛の制御情報と一致する場合には、復号化された制御情報には本通信装置２０の識別子が含まれている（オペレーションＢＤ：Ｙ）。復号化された制御情報に本通信装置２０の識別子が含まれているとき、処理はオペレーションＢＩへ移行する。
【００７２】
復号化されたデータの部分が、本通信装置２０宛の制御情報と一致しない場合には、正常な復号ができないか、復号化された制御情報には他の通信装置の識別子が含まれている（オペレーションＢＤ：Ｎ）。復号化された制御情報に本通信装置２０の識別子が含まれていないとき、処理はオペレーションＢＥへ移行する。
【００７３】
オペレーションＢＥにおいて復号化部２４は、変数ｊが、物理制御チャネルのマッピング用に指定される無線リソースに含まれるリソース単位の最大数であるか否かを判定する。変数ｊがリソース単位の最大数であるとき（オペレーションＢＥ：Ｙ）、処理はオペレーションＢＧへ移行する。変数ｊがリソース単位の最大数でないとき（オペレーションＢＥ：Ｎ）、処理はオペレーションＢＦへ移行する。オペレーションＢＦにおいて復号化部２４は、変数ｊの値を１つ増加して、処理をオペレーションＢＣへ戻す。
【００７４】
オペレーションＢＧにおいて復号化部２４は、変数ｉが、物理制御チャネルのマッピング用に指定される無線リソースに含まれるリソース単位の最大数であるか否かを判定する。変数ｉがリソース単位の最大数であるとき（オペレーションＢＧ：Ｙ）、処理はオペレーションＢＪへ移行する。変数ｉがリソース単位の最大数でないとき（オペレーションＢＧ：Ｎ）、処理はオペレーションＢＨへ移行する。オペレーションＢＨにおいて復号化部２４は、変数ｉの値を１つ増加して、処理をオペレーションＢＢへ戻す。
【００７５】
オペレーションＢＣにて復号化された識別情報に本通信装置２０の識別子が含まれているとき、オペレーションＢＩにおいて復号化部２４は、復号化された制御情報を本通信装置２０への制御情報として出力する。その後処理を終了する。
【００７６】
オペレーションＢＧにて変数ｉがリソース単位の最大数に至った場合は、復号化部２４が、全ての読出先頭位置の候補及び読出データ長のバリエーションについて、試行し尽くしたことを意味する。オペレーションＢＪにおいて復号化部２４は、受信した信号の中に本通信装置２０への制御情報が含まれていないと判定し、その後処理を終了する。
【００７７】
本実施例によれば、図６を参照して説明した実施例の通信装置１から送信された制御情報が、本通信装置２０を宛先とする制御情報であるか否かを判定することが可能となる。
【００７８】
以下、上述の無線リソースの割り当て方法を適用することにより、ＰＤＣＣＨへ無線リソースを割り当てる実施例を説明する。図１３は、通信システムにおける構成例を示す図である。通信システム４０は、例えばＬＴＥが適用される通信システムである。
【００７９】
なお、以下に説明する通信システム４０の態様は１つの実施例である。したがって、以下の説明は、通信システム４０の態様を以下のものに限定することを意図するものではない。すなわち通信システム４０は、ＬＴＥ以外の通信方式を使用する通信システムであってよい。また、上記及び下記に説明する無線リソースの割り当て方法は、ＰＤＣＣＨ以外のチャネルの割り当てのために使用されてもよい。
【００８０】
参照符号４１はコアネットワークを示し、参照符号４２はアクセスゲートウエイ（aGW:access GateWay）装置を示し、参照符号５０は基地局（BTS: BaseTransceiver Station）装置を示し、参照符号１００−１〜１００−３は移動局（MS: Mobile Station）装置を示す。移動局装置１００−１〜１００−３を総称して、移動局装置１００と表記することがある。通信システム４０は、基地局装置５０と複数の移動局装置１００を備える。基地局装置５０は、上位局と接続され、上位局はコアネットワーク４１と接続される。上位局は、例えばアクセスゲートウエイ装置４２であってよい。
【００８１】
図１４は、図１３に示す基地局装置の構成例を示す図である。参照符号５１はハイウエイインタフェース（ＨＷＩＦ）を示し、参照符号５２は情報組立／分解部を示し、参照符号５３は符号化部を示し、参照符号５４は変調部を示し、参照符号５５はアンプを示す。参照符号５６はアンテナを示し、参照符号５７はフィルタを示し、参照符号５８は復調部を示し、参照符号５９は復号化部を示す。
【００８２】
基地局装置５０は、ハイウエイインタフェース５１と、情報組立／分解部５２と、符号化部５３と、変調部５４と、アンプ５５と、アンテナ５６と、フィルタ５７と、復調部５８と、復号化部５９を備える。
【００８３】
ハイウエイインタフェース５１は、基地局装置５０の上位局、例えばアクセスゲートウエイ装置４２に接続される。基地局装置５０から移動局装置１００へ送信されるデータは、ハイウエイインタフェース５１を介してアクセスゲートウエイ装置４２から基地局装置５０へ入力される。移動局装置１００から基地局装置５０へ送信されるデータは、ハイウエイインタフェース５１を介して基地局装置５０からアクセスゲートウエイ装置４２へ出力される。
【００８４】
情報組立／分解部５２は、基地局装置５０と移動局装置１００との間で送信されるユーザデータ及び制御情報のベースバンド信号の信号処理を行う。符号化部５３は、情報組立／分解部５２にて生成された下りリンクチャネル信号を符号化する。変調部５４は、符号化部５３により符号化された信号を変調し、ＯＦＤＭ信号を生成する。ＯＦＤＭ信号はアンプ５５により増幅されアンテナ５６から送信される。
【００８５】
フィルタ５７は、アンテナ５６により移動局装置１００から受信した上りリンクチャネル信号の周波数帯域を制限する。復調部５８は、フィルタ５７により帯域制限された上りリンクチャネル信号を復調して、符号化が施されたデータを取り出す。復号化部５９は、復調部５８により取り出された符号化済データの復号化処理を行う。復号化されたベースバンド信号は情報組立／分解部５２へ入力される。
【００８６】
図１５は、図１４に示す情報組立／分解部の構成例を示す図である。参照符号６０はＤＣＩ組立部を示し、参照符号６１は使用ＲＥＧ数算出部を示す。情報組立／分解部５２は、ＤＣＩ組立部６０と使用ＲＥＧ数算出部６１とを備える。その他、情報組立／分解部５２は、主信号に関する信号処理や上りリンクチャネルにて受信した信号を処理するための機能を備えるが、簡単のため本明細書では説明を省略する。
【００８７】
ＤＣＩ組立部６０は、ダウンリンク制御情報を含んだＤＣＩペイロードと、ＤＣＩフォーマット識別情報を入力する。ＤＣＩ組立部６０は、各ＤＣＩペイロードのＤＣＩフォーマット識別情報に従って、チャネル毎にＤＣＩペイロードを結合してＤＣＩ信号を組み立てる。ＤＣＩ組立部６０は、組み立てたＤＣＩ信号を符号化部５３へ出力する。
【００８８】
使用ＲＥＧ数算出部６１は、各チャネルのＤＣＩ信号を、符号化部５３おいてどれ位の長さのデータへ符号化するかを決定する。なお、上記の表記法と同様に、符号化部５３により符号化されたＤＣＩ信号を「符号化データ」と表記する。
【００８９】
使用ＲＥＧ数算出部６１は、各チャネルの符号化データのデータ長として、このデータを伝送できるＲＥＧ数を算出する。すなわち使用ＲＥＧ数算出部６１は、各チャネルの符号化データの伝送のために割り当てるＲＥＧ数を算出する。
【００９０】
使用ＲＥＧ数算出部６１は、ＰＤＣＣＨのマッピング用に使用可能なＲＥＧの総数を、所定の規則に従って各チャネルの間で案分することによって、各チャネルの符号化データに割り当てるＲＥＧ数を算出する。使用ＲＥＧ数算出部６１は、特許請求の範囲の単位数決定部の一例として挙げられる。
【００９１】
ＰＤＣＣＨのマッピング用に使用可能なＯＦＤＭシンボルの数は、ＣＦＩの値によって指定される。以下に説明する実施例では、使用ＲＥＧ数算出部６１は、ＤＣＩ信号のビット数、ＣＱＩ（Channel Quality Indicator）情報、ＨＩ（Hybrid ARQ Indicator）グループ数指示情報に基づいて、各チャネルの符号化データに割り当てるＲＥＧ数を算出する。ＣＱＩ情報は、基地局装置５０から各移動局装置１００への端末（チャネル）毎の無線信号チャネル品質情報であり、ＨＩグループ数指示情報は、上りリンクにおいてＨＡＲＱ制御を行うＨＩグループの数を示す。使用ＲＥＧ数算出部６１によるＲＥＧの算出方法の例は、後に例示する。
【００９２】
使用ＲＥＧ数算出部６１は、各チャネルについて算出したＲＥＧ数を符号化部５３へ出力する。符号化部５３は、各チャネルのＤＣＩ信号を、使用ＲＥＧ数算出部６１により指定されたＲＥＧ数に相当するデータ長の符号化データへ、符号化する。
【００９３】
図１６は、図１４に示す変調部の構成例を示す図である。参照符号７０はＰＤＣＣＨ信号組立部を示し、参照符号７１及び７５はスクランブラを示し、参照符号７２及び７６は直交変調器を示し、参照符号７３はインタリーバを示し、参照符号７４はサイクリックシフト部を示す。参照符号７７はリソースエレメント（RE）マッピング部を示し、参照符号７８は逆フーリエ変換部（IFFT）を示し、参照符号７９はサイクリックプレフィクス（CP）挿入部を示す。
【００９４】
変調部５４は、ＰＤＣＣＨ信号組立部７０と、スクランブラ７１及び７５と、直交変調器７２及び７６と、インタリーバ７３と、サイクリックシフト部７４を備える。また変調部５４は、リソースエレメントマッピング部７７と、逆フーリエ変換部７８と、サイクリックプレフィクス挿入部７９とを備える。直交変調器７２及び７６は、例えば位相偏移変調器や直交振幅変調器である。
【００９５】
スクランブラ７１、直交変調器７２、インタリーバ７３及びサイクリックシフト部７４による処理は、それぞれ図１を参照して説明したスクランブラ２１３、直交変調器２１４、インタリーバ２１５及びサイクリックシフト部２１６による処理と同様である。また、リソースエレメントマッピング部７７及び逆フーリエ変換部７８による処理は、それぞれリソースエレメントマッピング部２１７及び逆フーリエ変換部２１８による処理と同様である。またサイクリックプレフィクス挿入部７９による処理は、サイクリックプレフィクス挿入部２１９による処理と同様である。
【００９６】
スクランブラ７５は、符号化部５３によって符号化された主信号をスクランブルする。直交変調器７６は、スクランブルされた主信号を直交変調することにより、リソースエレメントへマッピングされる主信号のシンボルを生成する。直交変調器７６により生成されたシンボルは、リソースエレメントマッピング部７７によってリソースエレメントへマッピングされる。
【００９７】
ＰＤＣＣＨ信号組立部７０は、符号化部５３により符号化されたＤＣＩ信号、すなわち符号化データを結合する。上記の表記法と同様に、符号化されたＤＣＩ信号をＰＤＣＣＨ信号組立部７０が結合して生成されるデータを、「ＰＤＣＣＨデータ」と表記する。
【００９８】
ＰＤＣＣＨ信号組立部７０は、符号化データを結合してＰＤＣＣＨデータを組み立てるとき、各チャネルの符号化データを連続的に連結する。このためＰＤＣＣＨ信号組立部７０は、ＰＤＣＣＨデータ内に格納された符号化データの間にＮＩＬデータを挿入する必要はない。このため、ＮＩＬデータがマッピングされるＲＥＧが低減され、無線リソースの利用効率の向上が図られる。ＰＤＣＣＨ信号組立部７０は、特許請求の範囲の連結部の一例として挙げられる。
【００９９】
次に、使用ＲＥＧ数算出部６１によるＲＥＧの算出方法の一例を説明する。なお以下に説明する算出方法は、通信システム４０にて使用可能なＲＥＧ数の算出方法の例示である。以下の説明は、通信システム４０に使用する算出方法を以下の態様に限定することを意図するものではなく、様々なＲＥＧ数の算出方法が使用可能である。
【０１００】
図１７及び図１８は、下りリンク物理制御チャネルへ割り当てるＲＥＧ数の決定方法の説明図である。別な実施の態様においては、下記のオペレーションＣＡ〜ＣＭ及びＤＡ〜ＤＭの各オペレーションはステップであってもよい。
【０１０１】
オペレーションＣＡにおいて使用ＲＥＧ数算出部６１は、ＰＤＣＣＨのマッピングのために割り当てられるリソースブロック（ＲＢ）の総数を算出する。例えば、周波数リソースの帯域幅が「Ｂ」ＭＨｚであるとき、使用ＲＥＧ数算出部６１は、リソースブロックの総数を、次式、（リソースブロックの総数）＝（サブキャリア数）×Ｂ／１２により算出する。例えば、周波数リソースの帯域幅ＢがＢ＝５ＭＨｚであり、サブキャリア数が６０の場合、リソースブロックの総数は、５×６０／１２＝２５個になる。
【０１０２】
オペレーションＣＢにおいて使用ＲＥＧ数算出部６１は、ＣＦＩの値が「１」であるか否かを判定する。ＣＦＩの値が「１」であるとき（オペレーションＣＢ：Ｙ）、使用ＲＥＧ数算出部６１は処理をオペレーションＣＣへ移行する。ＣＦＩの値が「１」でないとき（オペレーションＣＢ：Ｎ）、使用ＲＥＧ数算出部６１は処理をオペレーションＣＤへ移行する。
【０１０３】
オペレーションＣＣにおいて使用ＲＥＧ数算出部６１は、ＰＤＣＣＨの伝送に使用されるＯＦＤＭシンボルに含まれるＲＥＧの総数を、次式、（ＲＥＧの総数）＝（リソースブロックの総数）×２によって算出する。その後使用ＲＥＧ数算出部６１は、処理をオペレーションＣＧへ移行する。
【０１０４】
オペレーションＣＤにおいて使用ＲＥＧ数算出部６１は、ＣＦＩの値が「２」であるか否かを判定する。ＣＦＩの値が「２」であるとき（オペレーションＣＤ：Ｙ）、使用ＲＥＧ数算出部６１は処理をオペレーションＣＥへ移行する。ＣＦＩの値が「２」でないとき（オペレーションＣＤ：Ｎ）、使用ＲＥＧ数算出部６１は処理をオペレーションＣＦへ移行する。
【０１０５】
オペレーションＣＥにおいて使用ＲＥＧ数算出部６１は、ＰＤＣＣＨの伝送に使用されるＯＦＤＭシンボルに含まれるＲＥＧの総数を、次式、（ＲＥＧの総数）＝（リソースブロックの総数）×５によって算出する。その後使用ＲＥＧ数算出部６１は、処理をオペレーションＣＧへ移行する。
【０１０６】
オペレーションＣＦにおいて使用ＲＥＧ数算出部６１は、ＰＤＣＣＨの伝送に使用されるＯＦＤＭシンボルに含まれるＲＥＧの総数を、次式、（ＲＥＧの総数）＝（リソースブロックの総数）×８によって算出する。その後使用ＲＥＧ数算出部６１は、処理をオペレーションＣＧへ移行する。
【０１０７】
オペレーションＣＧにおいて使用ＲＥＧ数算出部６１は、ＰＤＣＣＨのマッピングに割り当て可能な最大数である最大割当ＲＥＧ数を、次式、（最大ＲＥＧ数）＝（ＲＥＧの総数）−ＣＦＩ×４−（ＨＩグループの数）×３によって算出する。オペレーションＣＨにおいて使用ＲＥＧ数算出部６１は、変数ＴｏｔａｌＢｉｔに値「０」を代入する。
【０１０８】
次に、使用ＲＥＧ数算出部６１は、基地局装置５０と各移動局装置１００との間のＰＤＣＣＨのそれぞれのチャネルｉについて、オペレーションＣＩ〜ＣＬを含むループを実行する。
【０１０９】
オペレーションＣＪにおいて使用ＲＥＧ数算出部６１は、各チャネルｉの符号化データのビット数Ｂｉｔiに、各チャネルｉのＣＱＩ情報の値Ｑiに応じた重み付け係数ｗ（Ｑi）を乗じた重み付けビット数をチャネル毎に計算する。チャネルｉの重み付けビット数ＷｅｉｇｈｔｅｄＢｉｔiの値は、次式、ＷｅｉｇｈｔｅｄＢｉｔi＝ｒｏｕｎｄｕｐ（Ｂｉｔi×ｗ（Ｑi））によって与えられる。関数ｒｏｕｎｄｕｐは、小数点以下の桁を切り上げる関数である。各ＣＱＩ値ｘに対してそれぞれ定めた重み付け係数ｗ（ｘ）を図１９に示す。
【０１１０】
図１７を参照する。オペレーションＣＫにおいて使用ＲＥＧ数算出部６１は、各チャネルｉについて算出した重み付けビット数ＷｅｉｇｈｔｅｄＢｉｔiを累積して、重み付けビット数の合計値ＴｏｔａｌＢｉｔを算出する。オペレーションＣＩ〜ＣＬを含むループの実行を完了すると、使用ＲＥＧ数算出部６１は処理をオペレーションＣＭへ移行する。
【０１１１】
オペレーションＣＭにおいて使用ＲＥＧ数算出部６１は、合計値ＴｏｔａｌＢｉｔに相当する長さのデータを伝送するのに必要なＲＥＧ数である所要ＲＥＧ数を、次式、所要ＲＥＧ数  ＝ｒｏｕｎｄｕｐ（ＴｏｔａｌＢｉｔ／（４×ｍ））により算出する。ここで定数ｍは、直交復調部７２における多値変調において１複素シンボルにて表現可能なビット数である。例えば直交復調部７２がＱＰＳＫ（4位相偏移変調：quadrature phase shift keying）を行う場合にはｍ＝４であり、所要ＲＥＧ数の値は、所要ＲＥＧ数＝ｒｏｕｎｄｕｐ（ＴｏｔａｌＢｉｔ／８）により算出される。
【０１１２】
オペレーションＤＡにおいて使用ＲＥＧ数算出部６１は、変数「割当済みＲＥＧ数」に値「０」を代入する。次に、使用ＲＥＧ数算出部６１は、各チャネルｉについて、オペレーションＤＢ〜ＤＥを含むループを実行する。
【０１１３】
オペレーションＤＣにおいて使用ＲＥＧ数算出部６１は、次式（１）によって、各チャネルの符号化データに割り当てられるＲＥＧ数ＡｌｌｏｃａｔｅｄＲＥＧiの値を、仮に決定する。なお、式（１）において関数ｒｏｕｎｄｄｏｗｎは、小数点以下の桁を切り上げる関数である。
【０１１４】
ＡｌｌｏｃａｔｅｄＲＥＧi＝ｒｏｕｎｄｄｏｗｎ（最大割当ＲＥＧ数／所要ＲＥＧ数×ＷｅｉｇｈｔｅｄＢｉｔi／８）      （１）
【０１１５】
ここで割合（最大割当ＲＥＧ数／所要ＲＥＧ数）は、重み付けビット数ＷｅｉｇｈｔｅｄＢｉｔiの合計値に相当する長さのデータを伝送するのに必要な所要ＲＥＧ数に対する、実際にＰＤＣＣＨに割り当て可能なＲＥＧ数の最大値の比である。したがって、上式（１）は、割合（最大割当ＲＥＧ数／所要ＲＥＧ数）に各チャネルｉの符号化データの重み付けビット数を乗じることによって、最大割当ＲＥＧ数を符号化データの重み付けビット数の比率に応じて案分したＲＥＧ数を算出する。
【０１１６】
このように、回線品質Ｑiによって重み付けしたビット数ＷｅｉｇｈｔｅｄＢｉｔiに応じてＲＥＧ数を案分することにより、回線品質のより悪いチャネルを伝送する制御情報の符号化率を低下させることが可能となる。符号化率を低下させることにより制御情報の受信成功率を向上させることが可能となる。
【０１１７】
オペレーションＤＤにおいて使用ＲＥＧ数算出部６１は、各チャネルｉについて算出したＡｌｌｏｃａｔｅｄＲＥＧｉを累積して、割当済みＲＥＧ数を算出する。
【０１１８】
オペレーションＤＢ〜ＤＥを含むループの実行を完了すると、使用ＲＥＧ数算出部６１は処理をオペレーションＤＦへ移行する。使用ＲＥＧ数算出部６１は、各チャネルｉについて、オペレーションＤＦ〜ＤＭを含むループを実行する。オペレーションＤＦ〜ＤＭを含むループにおいて、使用ＲＥＧ数算出部６１は、最大割当ＲＥＧ数と割当済みＲＥＧ数が等しくなるように、各チャネルｉに割り当てるＲＥＧ数を調整する。
【０１１９】
オペレーションＤＧにおいて使用ＲＥＧ数算出部６１は、最大割当ＲＥＧ数が割当済みＲＥＧ数よりも大きいか否かを判定する。最大割当ＲＥＧ数が割当済みＲＥＧ数よりも大きいとき（オペレーションＤＧ：Ｙ）、使用ＲＥＧ数算出部６１は処理をオペレーションＤＨへ移行する。最大割当ＲＥＧ数が割当済みＲＥＧ数よりも大きくないとき（オペレーションＤＧ：Ｎ）、使用ＲＥＧ数算出部６１は処理をオペレーションＤＪへ移行する。
【０１２０】
オペレーションＤＨにおいて使用ＲＥＧ数算出部６１は、チャネルｉの符号化データに割り当てられるＲＥＧ数ＡｌｌｏｃａｔｅｄＲＥＧiを、１だけ増加する。オペレーションＤＩにおいて使用ＲＥＧ数算出部６１は、割当済みＲＥＧ数を１だけ減少させる。その後、使用ＲＥＧ数算出部６１は処理をオペレーションＤＦへ戻す。
【０１２１】
オペレーションＤＪにおいて使用ＲＥＧ数算出部６１は、最大割当ＲＥＧ数が割当済みＲＥＧ数よりも小さいか否かを判定する。最大割当ＲＥＧ数が割当済みＲＥＧ数よりも小さいとき（オペレーションＤＪ：Ｙ）、使用ＲＥＧ数算出部６１は処理をオペレーションＤＫへ移行する。
【０１２２】
オペレーションＤＫにおいて使用ＲＥＧ数算出部６１は、チャネルｉの符号化データに割り当てられるＲＥＧ数ＡｌｌｏｃａｔｅｄＲＥＧiを、１だけ減少する。オペレーションＤＬにおいて使用ＲＥＧ数算出部６１は、割当済みＲＥＧ数を１だけ増加させる。その後、使用ＲＥＧ数算出部６１は処理をオペレーションＤＦへ戻す。
【０１２３】
オペレーションＤＪの判断において、最大割当ＲＥＧ数が割当済みＲＥＧ数よりも小さくないとき（オペレーションＤＪ：Ｎ）、割当済みＲＥＧ数が最大割当ＲＥＧ数に等しくなったので、使用ＲＥＧ数算出部６１はループを脱出して処理を終了する。
【０１２４】
図２０は、割り当てられるＲＥＧ数の計算結果を示す図である。本計算例において、周波数リソースの帯域幅を５ＭＨｚ、ＣＦＩ＝１、ＨＩグループの数を５と仮定した。このため、最大割当ＲＥＧ数の計算値は３１となる。
【０１２５】
また本計算例において、各グループｉ（ｉ＝０〜４）のＣＱＩ値Ｑiの値は、それぞれ、５、８、２、１５及び０であると仮定した。また本計算例において、各グループｉ（ｉ＝０〜４）の符号化データのビット数Ｂｉｔiの値は、それぞれ、２５、２０、１３、１２及び１５であると仮定した。図１９に示した重み付け係数を使用することにより、各チャネルｉの重み付けビット数ＷｅｉｇｈｔｅｄＢｉｔiの計算値は、それぞれ７５、５４、４３、２４及び５３となる。従って、重み付けビット数の合計値ＴｏｔａｌＢｉｔの計算値は２４９となり、所要ＲＥＧ数の値は３２となった。
【０１２６】
オペレーションＤＦ〜ＤＭを含むループによるＲＥＧ数の調整前における、各チャネルｉへのＲＥＧの割り当て数ＡｌｌｏｃａｔｅｄＲＥＧiの計算値は、それぞれ、９、６、５、２及び６となる。このとき割り当てられた割当済みＲＥＧ数の値は、２８であり、最大割当ＲＥＧ数３１よりも３つ小さい。
【０１２７】
オペレーションＤＦ〜ＤＭを含むループによるＲＥＧ数の調整により、チャネル０、１及び２に割り当てるＲＥＧ数を１つずつ増加する。したがって、各チャネルｉへのＲＥＧの割り当てられるＲＥＧ数ＡｌｌｏｃａｔｅｄＲＥＧiは、それぞれ、１０、７、６、２及び６となる。
【０１２８】
次に、図２１Ａ〜図２１Ｇ、図２２Ａ及び図２２Ｂを参照して、図１４の基地局装置５０においてＰＤＣＣＨの制御情報がリソースエレメントに割り当てられる流れを説明する。図２１Ａ及び図２１Ｂは、それぞれ図１５に示すＤＣＩ組立部６０に入力されるＤＣＩペイロードを示す。参照符号８０〜８２は各々第１のＤＣＩフォーマットで生成された異なる３つのＤＣＩペイロードを示し、参照符号８３〜８５は各々第２のＤＣＩフォーマットで生成されたＤＣＩペイロードを示す。図２１Ｃは、ＤＣＩ組立部６０がＤＣＩペイロード８０〜８２を結合して組み立てたＤＣＩ信号を示す。また図２１Ｄは、ＤＣＩ組立部６０がＤＣＩペイロード８３〜８５を結合して組み立てたＤＣＩ信号を示す。
【０１２９】
図２１Ｅは、図１４に示す符号化部５３が図２１ＣのＤＣＩ信号を符号化することにより生成された符号化データ８６を示す。図２１Ｆは、符号化部５３が図２１ＤのＤＣＩ信号を符号化することにより生成された符号化データ８７を示す。符号化部５３は、図１５に示す使用ＲＥＧ数算出部６１により決定されたＲＥＧ数に相当するデータ長の符号化データ８６及び８７へ、ＤＣＩ信号を符号化する。このため、符号化データ８６と８７とを加えたデータの長さは、ＰＤＣＣＨのマッピングのために割り当てられるＲＥＧの合計に相当するデータ長となる。
【０１３０】
図２１Ｇは、図１６に示すＰＤＣＣＨ信号組立部７０によって符号化データ８６及び８７から組み立てられたＰＤＣＣＨデータを示す。ＰＤＣＣＨ信号組立部７０は、符号化データ８６及び８７を連続的に連結してＰＤＣＣＨデータを組み立てる。このため、ＰＤＣＣＨ信号組立部７０は、ＰＤＣＣＨデータに格納される符号化データ８６と８７との間にＮＩＬデータを挿入しない。
【０１３１】
また、符号化データ８６と８７とを加えたデータの長さは、ＰＤＣＣＨのマッピングのために割り当てられるＲＥＧの合計に相当するデータ長と同一であるため、ＰＤＣＣＨ信号組立部７０は、ＰＤＣＣＨデータにＮＩＬデータを挿入しない。
【０１３２】
図２２Ａは、図２１Ｇに示すＰＤＣＣＨデータを、図１６に示すスクランブラ７１、直交変調器７２、インタリーバ７３及びサイクリックシフト部７４が処理した後のデータを示す。データを表す各矩形内に記載された「ＰＤＣＣＨ−ａ」又は「ＰＤＣＣＨ−ｂ」の表示は、それぞれデータが、それぞれ符号化データ８６及び８７に含まれていた情報を示すデータであることを示す。元のＰＤＣＣＨデータにＮＩＬデータが含まれていないため、図２２Ａに示すデータもＮＩＬデータを含まない。
【０１３３】
図２２Ｂは、図２２Ａのデータを、リソースエレメントマッピング部７７が、各リソースエレメントにマッピングした状態を示す。図２２Ｂに示すように、どのリソースエレメントにもＮＩＬデータがマッピングされていない。
【０１３４】
本実施例によれば、ＰＤＣＣＨのマッピングのために用意された全てのＲＥＧが、各チャネルへ案分されてマッピングのために使用されるため、無線リソースの利用効率の向上が達成される。本実施例によれば、無線リソースの利用効率の向上により、ＰＤＣＣＨの符号化率を下げることが可能となるため、制御情報の受信成功率を向上させることが可能となる。
【０１３５】
また本実施例によれば、ＰＤＣＣＨデータに格納される符号化データ８６と８７との間に、ＮＩＬデータを挿入する隙間が発生しないので、データがマッピングされない無線リソースが発生することを防止することができる。
【０１３６】
次に、図１３に示す移動局装置によるＰＤＣＣＨの制御情報の受信動作について説明する。図２３は、図１３に示す移動局装置の構成例を示す図である。参照符号１０１は情報組立／分解部を示し、参照符号１０２は符号化部を示し、参照符号１０３は変調部を示し、参照符号１０４はアンプを示し、参照符号１０５はアンテナを示す。参照符号１０６はフィルタを示し、参照符号１０７は復調部を示し、参照符号１０８は復号化部を示し、参照符号１０９は判定部を示す。
【０１３７】
移動局装置１００は、情報組立／分解部１０１と、符号化部１０２と、変調部１０３と、アンプ１０４と、アンテナ１０５と、フィルタ１０６と、復調部１０７と、復号化部１０８と、判定部１０９を備える。判定部１０９は、復号化部１０８の機能の一部であってよく、復号化部１０８とは別の構成要素であってもよい。
【０１３８】
情報組立／分解部１０１は、基地局装置５０と移動局装置１００との間で送信されるユーザデータ及び制御情報のベースバンド信号の信号処理を行う。符号化部１０２は、情報組立／分解部１０１にて生成された上りリンクチャネル信号を符号化する。変調部１０３は、符号化部１０２により符号化された信号を変調し無線周波数信号を生成する。無線周波数信号はアンプ１０４により増幅されアンテナ１０５から送信される。
【０１３９】
フィルタ１０６は、アンテナ１０５により基地局装置５０から受信した上りリンクチャネルのＯＦＤＭ信号の周波数帯域を制限する。復調部１０７は、フィルタ１０６により帯域制限されたＯＦＤＭ信号を復調して、符号化が施されたデータを取り出す。復号化部１０８は、復調部１０７により取り出された符号化済データの復号化処理を行う。復号化されたベースバンド信号は情報組立／分解部１０１へ入力される。
【０１４０】
復調部１０７は、ＯＦＤＭ信号を復調することにより、図１６に示す基地局装置５０のＰＤＣＣＨ信号組立部７０が組み立てたＰＤＣＣＨデータを再生する。復号化部１０８は、復調部１０７が復調したＰＤＣＣＨデータに復号化処理を施すことにより、符号化前のＤＣＩ信号を再生する。判定部１０９は、受信信号に本移動局装置１００宛のＤＣＩ信号が含まれているか否かを判定する。
【０１４１】
以下、判定部１０９が、受信信号に本移動局装置１００宛のＤＣＩ信号が含まれているか否かを判定する判定処理の一例を説明する。ＤＣＩ信号がどの移動局宛の信号であるかを判定するために、ＤＣＩ信号は、送信先の通信装置の識別子を含んでいてよい。
【０１４２】
図２４は、図１３に示す移動局装置へ送信されるＤＣＩ信号のフォーマットの説明図である。図２４は、符号化される前の状態のＤＣＩ信号を示す。例えばＤＣＩ信号は、図２１Ａを参照して説明したＤＣＩペイロード８０〜８２を含む。またＤＣＩ信号は、所定の位置に、ＤＣＩ信号の送信先の通信装置の識別子１１０を含む。
【０１４３】
復号化部１０８は、復調部１０７から出力される復号化前のＰＤＣＣＨデータの中の異なる位置から始まる及び異なる長さの部分データをそれぞれ読み出す。このとき復号化部１０８は、データを読み出す先頭位置及びデータ長を変化させて部分データを読み出すことにより、復号化前のＰＤＣＣＨデータの中の異なる位置及び異なる長さの部分データをそれぞれ読み出す。判定部１０９は、それぞれの部分データを復号化部１０８によって復号化することにより得られるＤＣＩ信号に、移動局装置１００の識別子が含まれているか否かを判定する。
【０１４４】
図２５は、図１３に示す移動局装置による復号化処理の説明図である。図１１のオペレーションＥＡ〜ＥＪの各オペレーションはステップであってもよい。オペレーションＥＡ及びＥＢにおいて復号化部１０８は、変数ｉに値「１」を、変数ｊに変数ｉの値を代入する。
【０１４５】
オペレーションＥＣにおいて復号化部１０８は、復調部１０７により復調されたＰＤＣＣＨデータから読み出される部分データを復号化する。復号化部１０８がＰＤＣＣＨデータから部分データを読み出すデータ長の単位は、１つのＲＥＧで伝送できるデータ長と等しい。すなわち読み出される部分データは、１つのＲＥＧで伝送できるデータ長の整数倍の長さを有する。
【０１４６】
また復号化部１０８は、ＰＤＣＣＨデータの中から部分データの読み出す先頭位置を、予め定められた複数の読出先頭位置の候補のいずれかから選択する。読出先頭位置の候補同士の間隔は、１つのＲＥＧで伝送できるデータ長に等しく、最初の読出先頭位置の候補は、ＰＤＣＣＨデータの先頭位置に等しい。
【０１４７】
このように定められた読出先頭位置の候補を、図２６に示す。参照符号１２４は、ＰＤＣＣＨデータを示す。ＰＤＣＣＨデータ１２４の下方に記載した複数の破線は、それぞれ読出先頭位置の候補を示す。読出先頭位置の候補にそれぞれ付した括弧書きの数字は、最初の読出先頭位置の候補から数えた各読出先頭位置の候補の順番を示す。隣接する破線間の間隔は、１つのＲＥＧで伝送できるデータ長であり、ＰＤＣＣＨデータ１２４から部分データを読み出すデータ長の単位に等しい。
【０１４８】
言い換えれば、復号化部１０８がＰＤＣＣＨデータ１２４から読み出す部分データの単位は、ＰＤＣＣＨデータ１２４を１つのＲＥＧ単位で伝送できるデータ長のブロックに分割したときの各ブロックとなる。また、復号化部１０８がＰＤＣＣＨデータ１２４から部分データを読み出す各読出先頭位置の候補は、上記のブロックのそれぞれの先頭位置である。
【０１４９】
オペレーションＥＣにおいて復号化部１０８は、ＰＤＣＣＨデータ１２４から、第ｉ番目の読出先頭位置の候補から始まるブロックから第ｊ番目の読出先頭位置の候補から始めるブロックまでを部分データとして読み出し、復号化する。
【０１５０】
オペレーションＥＤにおいて判定部１０９は、オペレーションＥＣで復号化されたＤＣＩ信号の所定位置に、本移動局装置１００の識別子が格納されているか否かを判定する。復号化されたデータの部分が本移動局装置１００宛の符号化データと一致する場合には、復号化されたＤＣＩ信号には本移動局装置１００の識別子が含まれている（オペレーションＥＤ：Ｙ）。復号化されたＤＣＩ信号に本通信装置１００の識別子が含まれているとき、処理はオペレーションＥＩへ移行する。
【０１５１】
復号化されたデータの部分が、本移動局装置１００宛の符号化データと一致しない場合には、正常な復号ができないか、復号化されたＤＣＩ信号には他の移動局装置の識別子が含まれている（オペレーションＥＤ：Ｎ）。復号化されたＤＣＩ信号に本移動局装置１００の識別子が含まれていないとき、処理はオペレーションＥＥへ移行する。
【０１５２】
オペレーションＥＥにおいて復号化部１０８は、変数ｊが、ＰＤＣＣＨのマッピング用に割り当て可能なＲＥＧの最大数であるか否かを判定する。変数ｊがＲＥＧの最大数であるとき（オペレーションＥＥ：Ｙ）、処理はオペレーションＥＧへ移行する。変数ｊがＲＥＧの最大数でないとき（オペレーションＥＥ：Ｎ）、処理はオペレーションＥＦへ移行する。オペレーションＥＦにおいて復号化部１０８は、変数ｊの値を１つ増加して、処理をオペレーションＥＣへ戻す。
【０１５３】
オペレーションＥＧにおいて復号化部１０８は、変数ｉが、ＰＤＣＣＨのマッピング用に割り当て可能なＲＥＧの最大数であるか否かを判定する。変数ｉがＲＥＧの最大数であるとき（オペレーションＥＧ：Ｙ）、処理はオペレーションＥＪへ移行する。変数ｉがＲＥＧの最大数でないとき（オペレーションＥＧ：Ｎ）、処理はオペレーションＥＨへ移行する。オペレーションＥＨにおいて復号化部１０８は、変数ｉの値を１つ増加して、処理をオペレーションＥＢへ戻す。
【０１５４】
オペレーションＥＣにて復号化されたＤＣＩ信号に本移動局装置１００の識別子が含まれているとき、オペレーションＥＩにおいて復号化部１０８は、復号化されたＤＣＩ信号を本移動局装置１００宛のＤＣＩ信号として出力する。その後処理を終了する。
【０１５５】
オペレーションＥＧにて変数ｉがＲＥＧの最大数に至った場合は、オペレーションＥＪにおいて復号化部１０８は、受信した信号の中に本移動局装置１００へのＤＣＩ信号が含まれていないと判定し、その後処理を終了する。
【０１５６】
図２６を参照して、復号化部１０８及び判定部１０９によるＰＤＣＣＨデータ１２４の復号化処理について説明する。ＰＤＣＣＨデータ１２４は、本移動局装置１００宛の符号化データ１２２と、他の移動局装置宛の符号化データ１２１及び１２３を含む。以下、説明の便宜のためＰＤＣＣＨデータ１２４の第ｉ番目の読出先頭位置の候補から始まる１つのブロックを、第ｉ番目のブロックと記載する（ｉ＝１〜１１）。
【０１５７】
まず、復号化部１０８は、第１番目のブロックから第ｉ番目（ｉ＝２〜１１）のブロックまでを読み出した各部分データを、それぞれ復号化する。これらの部分データは、本移動局装置１００宛の符号化データと一致しない。このため復号化の結果得られた信号の所定位置には、本移動局装置１００の識別子は現れない。このため復号化部１０８は、部分データを読み出す先頭位置を第１番目のブロックから第２番目のブロックへ変更する。
【０１５８】
次に、復号化部１０８は、第２番目のブロックから第ｉ番目（ｉ＝３〜１１）のブロックまでを読み出した各部分データを、それぞれ復号化する。この場合も復号化の結果得られた信号の所定位置に、本移動局装置１００の識別子は現れない。復号化部１０８は、部分データを読み出す先頭位置を第２番目のブロックから第３番目のブロックへ変更する。
【０１５９】
復号化部１０８は、第３番目のブロックから始める部分データを、データ長を変えながら読み出しそれぞれ復号化する。復号化部１０８が、第３番目のブロックから始まり第９番目のブロックで終わる部分データを復号化したとき、符号化の結果得られた信号の所定位置に、本移動局装置１００の識別子が現れる。復号化部１０８は、この復号化によって得られたＤＣＩ信号を出力する。
【０１６０】
本実施例によれば、図１４の基地局装置５０からＰＤＣＣＨを介して送信されたＤＣＩ信号が、本移動局装置１００を宛先とするＤＣＩ信号であるか否かを判定することが可能となる。
【０１６１】
ここに記載されている全ての例及び条件的な用語は、読者が、本発明と技術の進展のために発明者により与えられる概念とを理解する際の助けとなるように、教育的な目的を意図したものであり、具体的に記載されている上記の例及び条件、並びに本発明の優位性及び劣等性を示すことに関する本明細書における例の構成に限定されることなく解釈されるべきものである。本発明の実施例は詳細に説明されているが、本発明の精神及び範囲から外れることなく、様々な変更、置換及び修正をこれに加えることが可能であると解すべきである。
【符号の説明】
【０１６２】
１    通信装置
２    単位数決定部
３    符号化部
４    変調部
５    送信部
６    アンテナ
【図１】
0005423799.tif 000002
【図２Ａ】
0005423799.tif 000003
【図２Ｂ】
0005423799.tif 000004
【図２Ｃ】
0005423799.tif 000005
【図２Ｄ】
0005423799.tif 000006
【図２Ｅ】
0005423799.tif 000007
【図２Ｆ】
0005423799.tif 000008
【図２Ｇ】
0005423799.tif 000009
【図３Ａ】
0005423799.tif 000010
【図３Ｂ】
0005423799.tif 000011
【図４】
0005423799.tif 000012
【図５】
0005423799.tif 000013
【図６】
0005423799.tif 000014
【図７】
0005423799.tif 000015
【図８】
0005423799.tif 000016
【図９】
0005423799.tif 000017
【図１０】
0005423799.tif 000018
【図１１】
0005423799.tif 000019
【図１２】
0005423799.tif 000020
【図１３】
0005423799.tif 000021
【図１４】
0005423799.tif 000022
【図１５】
0005423799.tif 000023
【図１６】
0005423799.tif 000024
【図１７】
0005423799.tif 000025
【図１８】
0005423799.tif 000026
【図１９】
0005423799.tif 000027
【図２０】
0005423799.tif 000028
【図２１Ａ】
0005423799.tif 000029
【図２１Ｂ】
0005423799.tif 000030
【図２１Ｃ】
0005423799.tif 000031
【図２１Ｄ】
0005423799.tif 000032
【図２１Ｅ】
0005423799.tif 000033
【図２１Ｆ】
0005423799.tif 000034
【図２１Ｇ】
0005423799.tif 000035
【図２２Ａ】
0005423799.tif 000036
【図２２Ｂ】
0005423799.tif 000037
【図２３】
0005423799.tif 000038
【図２４】
0005423799.tif 000039
【図２５】
0005423799.tif 000040
【図２６】
0005423799.tif 000041